(57)【要約】【課題】  共用スペースに患者が放置されることなく、共用スペースから適切な医療従事者を呼び出すことができるようにする。【解決手段】  識別情報読取部５２が医療従事者が携行している識別情報発信装置６０から識別情報を読み取ってから、所定時間が経過する前に共用スペース用呼出操作部５４により呼び出しが行われた場合、または、所定時間が経過した場合に、識別情報読取部５２が読み取った識別情報により特定される携帯端末４０を報知させるとともに、所定時間が経過する前に識別情報読取部５２が同一の識別情報を再び読み取った場合には、携帯端末４０を報知させないようにしている。これにより、報知が行われた携帯端末４０が、患者の介助を行った医療従事者が携帯している携帯端末４０であると判断される。【選択図】  図１
2011055090.tif 000002
【特許請求の範囲】
【請求項１】
病室に居る患者が医療従事者を呼び出す際に操作する呼出操作部と、前記呼出操作部の操作により自装置を識別するための子機識別情報を含む呼出信号を生成して出力する制御部とを備えたベッドサイド用ナースコール子機と、
医療従事者によって携帯され、識別情報を送信可能な識別情報発信装置と、
共用スペースに設置され、前記識別情報発信装置から識別情報を読み取る識別情報読取部と、時間を計測する計時部と、共用スペースに居る患者が医療従事者を呼び出す際に操作する共用スペース用呼出操作部と、前記計時部が計測した時間が所定時間以上であるか否かを判定し、所定時間以上ではないと判断した場合に、前記共用スペース呼出操作部が操作されたとき、または、所定時間以上であると判断した場合に、前記識別情報読取装置が読み取った識別情報を含む呼出信号を生成して出力するとともに、所定時間以上ではないと判断した場合に、前記識別情報読取部が前記識別情報を再度読み取った場合に、前記計時部の動作を停止させる共用スペース用制御部とを備えた共用スペース用ナースコール子機と、
医療従事者によって携帯され、自装置を識別するための携帯端末識別情報により特定される呼び出しを受けて報知を行う携帯端末と、
前記呼出信号を入力する親機インターフェースと、前記子機識別情報と前記子機識別情報によって特定される前記ベッドサイド用ナースコール子機を使用する患者を担当する医療従事者の携帯する識別情報発信装置の識別情報とその医療従事者が携帯する携帯端末の携帯端末識別情報とを関連付けて記憶する記憶部と、前記親機インターフェースが前記呼出信号を入力した場合に、前記記憶部を参照して、前記子機識別情報または前記識別情報に関連付けて記憶されている携帯端末識別情報を抽出する親機用制御部とを備えたナースコール親機と、
前記ナースコール親機に接続され、前記親機用制御部が抽出した前記携帯端末識別情報により特定される前記携帯端末を呼び出す主装置と、
を備えたナースコールシステム。
【発明の詳細な説明】
【技術分野】
【０００１】
本発明は、患者が呼出ボタンを操作することによって医療従事者を呼び出すことができるナースコールシステムに関し、特に呼出ボタンをトイレなどの共用スペースに設置したナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）が呼出ボタンを押下することによって看護師や介護師（以下、単に医療従事者と記載する）を呼び出すことができるように成されたシステムである。
【０００３】
多くのナースコールシステムは、ベッドサイドやトイレ、浴室などに設置されるナースコール子機と、ナースセンタに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携帯するＰＨＳ（Personal Handy phone System）端末とＰＢＸ（Private Branch Exchange：電話交換機）とを備えたナースコールシステムも提供されている。
【０００４】
このようなナースコールシステムにおいて、ベッドサイドにナースコール子機を設置した場合、ナースコール子機の呼出ボタンは、特定の患者によって操作されることが多い。また、一般的に、患者を担当する医療従事者が携帯しているＰＨＳにナースコール子機からの呼び出しの報知を行うことが好ましい。そのため、ある患者によって使用されるナースコール子機とその患者を担当する医療従事者が携帯するＰＨＳとを関連付けることにより、患者からの呼び出しに対して、その患者を担当する医療従事者が携帯するＰＨＳを報知させることができるようになる。
【０００５】
一方、トイレなどの共用スペースにナースコール子機を設置した場合、ナースコール子機の呼出ボタンは、特定の患者だけではなく不特定多数の患者によって操作される。そのため、共用スペースからの呼び出しに対して、どの医療従事者が携帯しているＰＨＳを報知させれば良いかを判断することが困難になってしまうという問題があった。
【０００６】
また、ベッド上の患者がトイレなどの共用スペースに行きたいと思った場合に、ベッドサイドに設置されているナースコール子機の呼出ボタンが操作されることがある。このときには、ベッドサイドに設置されているナースコール子機の呼出ボタンが操作されるため、呼出ボタンを操作した患者を担当する医療従事者が携帯しているＰＨＳを報知させることができる。
【０００７】
しかしながら、医療従事者が患者を介助して、トイレなどの共用スペースに連れて行った場合に、患者が共用スペースから出るまで医療従事者が待っていることは、医療従事者の業務効率を著しく低下させてしまうため、医療従事者が患者を共用スペースに残して他の業務に従事することが行われている。この場合、患者は、共用スペースに設置されたナースコール子機の呼出ボタンを操作することで、医療従事者を呼び出して、再びベッドまで連れ帰ってもらうことができる。
【０００８】
ところで、患者が共用スペース内で倒れるなどして、共用スペースに設置されたナースコール子機の呼出ボタンを操作することができなかった場合に、患者は共用スペースに長時間放置されたままになってしまう。これを防止するための技術として、トイレなどの共用スペースに設置されたトイレセンサがトイレの長時間使用を検知すると、ナースコール親機に緊急事態を通報するというものが知られている（例えば、特許文献１など）。
【先行技術文献】
【特許文献】
【０００９】
【特許文献１】特開平１１−１８５１７０号公報
【発明の概要】
【発明が解決しようとする課題】
【００１０】
しかしながら、特許文献１に記載の技術においても、共用スペースに放置されている患者を特定することができないため、共用スペースからの呼び出しに対して、どの医療従事者が携帯しているＰＨＳを報知させれば良いかを判断することが困難になってしまうという問題があった。本発明は、このような問題を解決するために成されたものであり、トイレなどの共用スペースに患者が放置されることなく、共用スペースから適切な医療従事者を呼び出すことができるようにすることを目的とする。
【課題を解決するための手段】
【００１１】
上述した課題を解決するために、本発明では、共用スペースに設置された読取装置が、医療従事者が携行している識別情報発信装置から識別情報を読み取ってから所定時間が経過する前に共用スペースで呼び出しが行われた場合、または、所定時間が経過した場合に、読取装置が読み取った識別情報により特定される医療従事者が携行する携帯端末を報知させるとともに、所定時間が経過する前に読取装置が同一の識別情報を再び読み取った場合には、携帯端末を報知させないようにしている。
【発明の効果】
【００１２】
上記のように構成した本発明によれば、読取装置が識別情報を読み取ってから所定時間が経過する前に共用スペースで呼び出しが行われた場合、または、所定時間が経過した場合に、読取装置が読み取った識別情報により特定される携帯端末を、共用スペースを使用する患者の介助を行った医療従事者の携帯端末であると判断して報知が行われるので、共用スペースに患者が放置されることなく、適切な医療従事者が患者の介助を一貫して行うことができる。また、医療従事者は、その間に他の業務に従事することができる。
【図面の簡単な説明】
【００１３】
【図１】本実施形態によるナースコールシステムの構成例を示すブロック図である。
【図２】本実施形態によるナースコールシステムの動作を示すフローチャートである。
【発明を実施するための形態】
【００１４】
以下、本発明の一実施形態を図面に基づいて説明する。図１は、本実施形態によるナースコールシステムの構成例を示すブロック図である。同図において、１はベッドサイド用ナースコール子機であり、患者のベッドの近傍に設置される。ここで、ベッドサイド用ナースコール子機１は、制御部２、呼出操作部３、子機インターフェース４を備えて構成されている。１０はナースコール親機であり、医療従事者が常駐するナースセンタなどに設置され、医療従事者によって使用される。ここで、ナースコール親機１０は、親機制御部１１、親機インターフェース１２、記憶部１３を備えて構成されている。このように構成されたナースコール子機１とナースコール親機１０との間には、廊下灯が接続されている。廊下灯は、病室内の患者の氏名を表示するとともに、病室内の患者が呼び出しを行った場合に呼び出しが行われたことを表示する。
【００１５】
２０は主装置であり、病院内の通信センタに設置されており、例えば、後述する携帯端末４０の交換機などにより構成されている。２０は無線装置であり、主装置２０と携帯端末４０とが無線通信するための無線基地局である。ここで、無線装置２０は、病院内の各所に設置されている。携帯端末４０は、医療従事者により携帯されており、ベッドサイド用ナースコール子機１や後述する共用スペース用ナースコール子機５０からの呼び出しを報知し、それに応答するためのものである。共用スペース用ナースコール子機５０は、トイレなどの共用スペースに設置されており、患者によって使用される。ここで、共用スペース用ナースコール子機５０は、共用スペース用制御部５１、識別情報読取部５２、時計部５３、共用スペース用呼出操作部５４、共用スペース用子機インターフェース５５を備えて構成されている。６０は識別情報発信装置であり、医療従事者により携帯される。また、識別情報発信装置は、ＲＦＩＤ（Radio Frequency IDentification）タグなどにより構成されており、識別情報読取部５２に近付いた場合に、識別情報を送信する。
【００１６】
まず、ベッドサイド用ナースコール子機１の各構成要素について説明する。制御部２は、ベッドサイド用ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。子機インターフェース４は、ベッドサイド用ナースコール子機１とナースコール親機１０とを接続して通信を行うためのものである。患者は、医療従事者を呼び出したい場合に、呼出操作部３を操作する。すると、制御部２は、呼出信号を生成する。ここで、呼出信号には、ベッドサイド用ナースコール子機１を他のベッドサイド用ナースコール子機１や共用スペース用ナースコール子機５０と区別するための子機識別情報が含まれる。また、子機識別情報としては、ベッド番号などの情報を用いる。制御部２は、生成した呼出信号を子機インターフェース４によってナースコール親機１０へ出力する。
【００１７】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とベッドサイド用ナースコール子機１、ナースコール親機１０と共用スペース用ナースコール子機５０とを接続して通信を行うためのものである。ここで、親機インターフェース１２は、ベッドサイド用ナースコール子機１から出力された呼出信号、共用スペース用ナースコール子機５０から出力された呼出信号を入力する。
【００１８】
記憶部１３は、ベッドサイド用ナースコール子機１の子機識別情報と、子機識別情報によって特定されるベッドサイド用ナースコール子機１を使用する患者を担当する医療従事者が使用する携帯端末４０の携帯端末識別情報（例えば、携帯端末４０の内線番号など）と、その医療従事者が携帯する識別情報発信装置６０の識別情報とを関連付けて記憶している。親機インターフェース１２がベッドサイド用ナースコール子機１から呼出信号を入力した場合、親機制御部１１は、呼出信号に含まれる子機識別情報を抽出する。そして、親機制御部１１は、記憶部１３を参照して、抽出した子機識別情報に関連付けて記憶されている携帯端末識別情報を取得する。そして、親機制御部１１は、取得した携帯端末識別情報を親機インターフェース１２によって主装置２０へ出力する。
【００１９】
主装置２０は、入力した携帯端末識別情報を持つ携帯端末４０を、無線装置３０を介して呼び出す。その携帯端末識別情報を持つ携帯端末４０は、図示しない報知部により報知を行う。そして、携帯端末４０を携帯する医療従事者が図示しない応答操作部により応答の操作を行うと、携帯端末４０とベッドサイド用ナースコール子機１との間で通話路が形成される。
【００２０】
次に、共用スペース用ナースコール子機５０の各構成要素について説明する。共用スペース用制御部５１は、共用スペース用ナースコール子機５０の各構成要素を後述するように制御するためのものであり、ＣＰＵなどにより構成されている。識別情報読取部５２は、所定の距離（例えば、３０ｃｍなど）に近付いた識別情報発信装置６０に電源を供給し、電源が供給された識別情報発信装置６０から送信された識別情報を受信する。ここで、識別情報発信装置６０がＲＦＩＤタグである場合には、識別情報読取部５２は、ＲＦＩＤタグリーダにより構成される。なお、識別情報発信装置６０は、識別情報読取部５２で識別情報を読み取ることができればどのような機器であっても良く、無線発信機やバーコードなどであっても良い。また、識別情報発信装置６０と携帯端末４０とは、ともに医療従事者によって携帯されることから、識別情報発信装置６０と携帯端末４０とを一体的に構成するようにしても良い。
【００２１】
計時部５３は、時間を計測するためのものであり、カウンタやタイマなどにより構成されている。識別情報読取部５２が識別情報発信装置６０から識別情報を読み取ると、共用スペース用制御部５１は、計時部５３を動作させる。共用スペース用呼出操作部５４は、共用スペースに居る患者が医療従事者を呼び出す際に操作するためのものであり、呼出ボタンなどにより構成されている。共用スペース用子機インターフェース５５は、共用スペース用ナースコール子機５０とナースコール親機１０とを接続して通信を行うためのものである。患者は、共用スペースの利用が終了したり、共用スペースで何らかの緊急事態が発生したりすると、共用スペース用呼出操作部５４を操作して医療従事者を呼び出す。すると、共用スペース用制御部５１は、呼出信号を生成する。ここで、呼出信号には、共用スペース用ナースコール子機５０を他の共用スペース用ナースコール子機５０やベッドサイド用ナースコール子機１と区別するための子機識別情報が含まれる。また、子機識別情報としては、共用スペース番号などの情報を用いる。共用スペース用制御部５１は、生成した呼出信号を共用スペース用子機インターフェース５５によってナースコール親機１０へ出力する。
【００２２】
このように構成されたナースコールシステムにおいて、共用スペースの利用を希望する患者は、ベッドサイド用ナースコール子機１の呼出操作部３を操作する。呼出操作部３が操作されると、制御部２は呼出信号を生成し、子機インターフェース４によってナースコール親機１０へ出力する。そして、親機インターフェース１２が呼出信号を入力すると、親機制御部１１は、記憶部１３を参照して、呼出信号に含まれる子機識別情報に関連付けて記憶されている携帯端末識別情報を抽出し、親機インターフェース１２によって主装置２０へ携帯端末識別情報を出力する。
【００２３】
主装置２０は、入力した携帯端末識別情報により、無線装置３０を介して携帯端末４０を呼び出す。携帯端末４０は、図示しない報知部により報知を行い、これを認識した医療従事者は、図示しない応答操作部を操作して、患者からの呼び出しに応答する。すると、ベッドサイド用ナースコール子機１と携帯端末４０との間で通話路が形成される。このとき、患者は共用スペースの利用を希望する旨を医療従事者に伝える（例えば、「トイレに行きたい」など）。これを受けた医療従事者は、ベッドサイド用ナースコール子機１が設置されている病室を訪れて、呼び出しを行った患者の介助（共用スペースであるトイレまで患者を連れて行くこと）を行う。
【００２４】
医療従事者および患者が共用スペースに到着すると、医療従事者が携帯している識別情報発信装置６０が識別情報読取部５２に近付く（または、医療従事者が識別情報発信装置６０を識別情報読取部５２に近付ける）。すると、識別情報読取部５２は、識別情報発信装置６０から識別情報を読み取る。これにより、共用スペース用制御部５１は計時部５３を動作させ、計時部５３は時間の計測を開始する。この状態で、患者は共用スペースの利用を開始し、医療従事者は、必要に応じて他の業務に従事する。
【００２５】
共用スペース用制御部５１は、計時部５３が計測した時間が所定時間以上であるか否かを判定している。計時部５３が計測した時間が所定時間以上であると共用スペース用制御部５１にて判断した場合には、共用スペース用制御部５１は、識別情報読取部５２が読み取った識別情報を含む呼出信号を生成し、共用スペース用子機インターフェース５５によりナースコール親機１０に出力する。ナースコール親機１０の親機インターフェース１２が呼出信号を入力すると、親機制御部１１は、記憶部１３を参照して、入力した呼出信号に含まれる識別情報に関連付けて記憶されている携帯端末識別情報を抽出し、親機インターフェース１２によって主装置２０へ出力する。主装置２０は、入力した携帯端末識別情報により、無線装置３０を介して携帯端末４０を呼び出す。携帯端末４０は、図示しない報知部により報知を行う。この場合、報知の内容に共用スペースからの呼び出しであることを示す情報や介助を行っていた患者からの呼び出しであることを示す情報を含ませることで、医療従事者に報知の内容を認識させることができる。
【００２６】
一方、計時部５３が計測した時間が所定時間以上ではないと共用スペース用制御部５１にて判断した場合（換言すると、所定時間が経過する前）に、共用スペース用呼出操作部５４が操作されたと共用スペース用制御部５１にて判断したときには、共用スペース用制御部５１は、識別情報読取部５２が読み取った識別情報を含む呼出信号を生成し、共用スペース用子機インターフェース５５によりナースコール親機１０に出力する。ナースコール親機１０の親機インターフェース１２が識別情報を入力すると、親機制御部１１は、記憶部１３を参照して、入力した識別情報に関連付けて記憶されている携帯端末識別情報を抽出し、親機インターフェース１２によって主装置２０へ出力する。主装置２０は、入力した携帯端末識別情報により、無線装置３０を介して携帯端末４０を呼び出す。携帯端末４０は、図示しない報知部により報知を行う。この場合も上述した場合と同様に、報知の内容に共用スペースからの呼び出しであることを示す情報や介助を行っていた患者からの呼び出しであることを示す情報を含ませることで、医療従事者に報知の内容を認識させることができる。
【００２７】
また、計時部５３が計測した時間が所定時間以上ではないと共用スペース用制御部５１にて判断した場合（換言すると、所定時間が経過する前）に、識別情報読取部５２が識別情報発信装置６０から再度同一の識別情報を読み取ったと共用スペース用制御部５１にて判断したときには、共用スペース用制御部５１は、計時部５３の動作を停止させる。このとき、共用スペース用制御部５１は呼出信号を生成することはない。そのため、携帯端末４０が呼び出されることは無い。これは、所定時間が経過する前に、医療従事者が共用スペースに戻って、患者の介助を再開したことを示している。ここで、再度同一の識別情報を読み取ったか否かを判断する場合、呼出信号が出力されたり、計時部５３の動作が停止したりすると、最初に識別情報を読み取ったことをリセットするようにしている。これにより、医療従事者が複数回介助を行った場合に誤判定することがなくなる。
【００２８】
次に、本実施形態によるナースコールシステムの動作を説明する。図２は、本実施形態によるナースコールシステムの動作を示すフローチャートである。まず、共用スペース用ナースコール子機５０では、識別情報読取部５２が識別情報発信装置６０から識別情報を読み取ったか否かを共用スペース用制御部５１にて調べる（ステップＳ１）。識別情報読取部５２が識別情報を読み取っていないと共用スペース用制御部５１にて判断した場合には、（ステップＳ１にてＮＯ）、ステップＳ１の処理を繰り返す。一方、識別情報読取部５２が識別情報を読み取ったと共用スペース用制御部５１にて判断した場合には（ステップＳ１にてＹＥＳ）、共用スペース用制御部５１は計時部５３を動作させ、計時部５３が時間の計測を開始する（ステップＳ２）。
【００２９】
共用スペース用制御部５１は、計時部５３による時間の計測が所定時間以上経過しているか否かを調べる（ステップＳ３）。所定時間以上経過していると共用スペース用制御部５１にて判断した場合には（ステップＳ３にてＹＥＳ）、ステップＳ５へ移行する。一方、所定時間以上経過していないと共用スペース用制御部５１にて判断した場合には（ステップＳ３にてＮＯ）、共用スペース用呼出操作部５４が操作されたか否かを共用スペース用制御部５１にて調べる（ステップＳ４）。共用スペース用呼出操作部５４が操作されたと共用スペース用制御部５１にて判断した場合には（ステップＳ４にてＹＥＳ）、ステップＳ５へ移行する。ステップＳ５では、共用スペース用制御部５１が識別情報読取部５２で読み取った識別情報を含む呼出信号を生成し、共用スペース用子機インターフェース５５によってナースコール親機１０へ出力する。そして、ステップＳ１の処理に戻る。
【００３０】
一方、共用スペース用呼出操作部５４が操作されていないと共用スペース用制御部５１にて判断した場合には（ステップＳ４にてＮＯ）、識別情報読取部５２が再度同一の識別情報を読み取ったか否かを共用スペース用制御部５１にて調べる（ステップＳ６）。識別情報読取部５２が再度同一の識別情報を読み取っていないと共用スペース用制御部５１にて判断した場合には（ステップＳ６にてＮＯ）、ステップＳ１の処理に戻る。一方、識別情報読取部５２が再度同一の識別情報を読み取ったと共用スペース用制御部５１にて判断した場合には（ステップＳ６にてＹＥＳ）、共用スペース用制御部５１は計時部５３の動作を停止させる（ステップＳ７）。
【００３１】
ナースコール親機１０では、親機インターフェース１２が呼出信号を入力したか否かを親機制御部１１にて調べる（ステップＳ８）。親機インターフェース１２が呼出信号を入力していないと親機制御部１１にて判断した場合には（ステップＳ８にてＮＯ）、ステップＳ８の処理を繰り返す）。一方、親機インターフェース１２が呼出信号を入力したと親機制御部１１にて判断した場合には（ステップＳ８にてＹＥＳ）、親機制御部１１は、記憶部１３を参照し、呼出信号に含まれる識別情報または子機識別情報に関連付けて記憶されている携帯端末識別情報を抽出して主装置２０へ出力する（ステップＳ９）。
【００３２】
主装置２０では、携帯端末識別情報を入力したか否かを調べる（ステップＳ１０）。携帯端末識別情報を入力していないと判断した場合には（ステップＳ１０にてＮＯ）、ステップＳ１０の処理を繰り返す。一方、携帯端末識別情報を入力したと判断した場合には（ステップＳ１０にてＹＥＳ）、携帯端末識別情報により特定される携帯端末４０を呼び出す（ステップＳ１１）。
【００３３】
以上詳しく説明したように、本実施形態によれば、共用スペースに設置された共用スペース用ナースコール子機５０の識別情報読取部５２が、医療従事者が携行している識別情報発信装置６０から識別情報を読み取ってから、所定時間が経過する前に共用スペース用呼出操作部５４により呼び出しが行われた場合、または、所定時間が経過した場合に、識別情報読取部５２が読み取った識別情報により特定される携帯端末４０を報知させるとともに、所定時間が経過する前に識別情報読取部５２が同一の識別情報を再び読み取った場合には、携帯端末４０を報知させないようにしている。
【００３４】
これにより、識別情報読取部５２が識別情報を読み取ってから所定時間が経過する前に共用スペース用呼出操作部５４で呼び出しが行われた場合、または、所定時間が経過した場合に、識別情報読取部５２が読み取った識別情報により特定される携帯端末４０を、共用スペースを使用する患者の介助を行った医療従事者が携帯している携帯端末４０であると判断して報知が行われるので、共用スペースに患者が放置されることなく、適切な医療従事者が患者の介助を一貫して行うことができる。また、医療従事者は、その間に他の業務に従事することができる。
【００３５】
なお、前述した実施形態では、識別情報発信装置６０が発信する識別情報と携帯端末４０の携帯端末識別情報とを別々に設定しているが、これに限定されない。例えば、識別情報発信装置６０が発信する識別情報と携帯端末４０の携帯端末識別情報とを同一のものとしても良い。
【００３６】
また、前述した実施形態では、所定時間が経過した場合の呼出先として、介助を行っている医療従事者の携帯端末４０のみを設定しているが、これに限定されない。例えば、呼び出された携帯端末４０が応答しなかった場合に、他の携帯端末４０やナースコール親機１０を呼び出すようにしても良い。
【００３７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３８】
１    ベッドサイド用ナースコール子機
２    制御部
３    呼出操作部
４    子機インターフェース
１０    ナースコール親機
１１    親機制御部
１２    親機インターフェース
１３    記憶部
２０    主装置
３０    無線装置
４０    携帯端末
５０    共用スペース用ナースコール子機
５１    共用スペース用制御部
５２    識別情報読取部
５３    計時部
５４    共用スペース用呼出操作部
５５    共用スペース用子機インターフェース
６０    識別情報発信装置
【図１】
2011055090.tif 000003
【図２】
2011055090.tif 000004